(57)【要約】【課題】走行風が側面に逃げることを抑制して多くの走行風を原動機へ導くことができる鞍乗型車両のロアーカウル構造を提供する。【解決手段】前輪（７）と、前輪（７）の後方に配置される原動機（８）と、原動機（８）の下部前方に配置されるロアーカウル（４９）と、を備える鞍乗型車両（１）のロアーカウル構造であって、ロアーカウル（４９）は、側面視で下端の前縁から斜め後上方へ延びる前面部（６５）を備え、前面部（６５）の車幅方向の端縁には、前上方へ延びる堰部（６７）が前面部（６５）の端縁に沿って設けられている。【選択図】図１０
2016193649.tif 000002
【特許請求の範囲】
【請求項１】
前輪（７）と、
前記前輪（７）の後方に配置される原動機（８）と、
前記原動機（８）の下部前方に配置されるロアーカウル（４９）と、を備える鞍乗型車両（１）のロアーカウル構造であって、
前記ロアーカウル（４９）は、側面視で下端の前縁から斜め後上方へ延びる前面部（６５）を備え、
前記前面部（６５）の車幅方向の両端縁のうち少なくとも何れか一方の端縁には、該端縁から前上方に向かって延びる堰部（６７）が該端縁に沿って設けられていることを特徴とする鞍乗型車両のロアーカウル構造。
【請求項２】
請求項１記載の鞍乗型車両のロアーカウル構造であって、
前記鞍乗型車両（１）は前記原動機（８）の下部近傍を通過して前記鞍乗型車両（１）の後方に向けて延出する排気管（９）を備え、
前記ロアーカウル（４９）の側面は、側面視で下端から上方へ車幅方向外側へ向かい、上方に行くほど連続的または断続的に鉛直面に近づく側部一般面（７３，８３）を備え、
該側部一般面（７３，８３）に開口（７５，８５）が設けられ、該開口（７５，８５）の後上方の縁部（７７，８７）が側部一般面（７３，８３）よりも車幅方向中央に向かって凹んでいることを特徴とする鞍乗型車両のロアーカウル構造。
【請求項３】
請求項１又は請求項２に記載の鞍乗型車両のロアーカウル構造であって、
前記ロアーカウル（４９）の前面部（６５）と堰部（６７）とは、一部品からなる前側部（６１）として一体に成形されていることを特徴とする鞍乗型車両のロアーカウル構造。
【請求項４】
請求項１から請求項３の何れか１項に記載の鞍乗型車両のロアーカウル構造であって、
前記堰部（６７）の前上端から車幅方向外側に向かって折り返すように屈曲して後下方へ延びる合流面（６９）を備えることを特徴とする鞍乗型車両のロアーカウル構造。
【請求項５】
請求項４記載の鞍乗型車両のロアーカウル構造であって、
前記ロアーカウル（４９）は、前記前面部（６５）及び前記堰部（６７）を有する前側部（６１）と、該前側部（６１）の後下方に配置される側部（６２，６３）とを備え、
前記側部（６２，６３）は、側面視で下端から上方へ車幅方向外側へ向かい、上方に行くほど連続的または断続的に鉛直面に近づく側部一般面（７３，８３）を備え、
該側部一般面（７３，８３）に開口（７５，８５）が設けられ、
前記開口（７５，８５）の前上縁（７５ａ，８５ａ）の少なくとも一部が、前記合流面（６９）の端縁（６９ａ）に沿って配置されることを特徴とする鞍乗型車両のロアーカウル構造。
【請求項６】
請求項１から請求項５の何れか１項に記載の鞍乗型車両のロアーカウル構造であって、
前記ロアーカウル（４９）の少なくとも一方の側部一般面（７３，８３）の後部上方には、車幅方向で一段幅狭く設けられ、運転用のペダル踏み部（９１）の内側を通って車体フレーム（２）のピボット部（１６）の外面まで延びる、運転者爪先案内面（８９）が設けられることを特徴とする鞍乗型車両のロアーカウル構造。
【発明の詳細な説明】
【技術分野】
【０００１】
本発明は、鞍乗型車両のロアーカウル構造に関する。
【背景技術】
【０００２】
従来、前輪と、前輪の後方に配置されるエンジンとしての原動機と、原動機の下部前方に配置されるロアーカウルとを備える自動二輪車などの運転者が跨って乗車するタイプの鞍乗型車両が知られている（例えば、特許文献１参照）。特許文献１のロアーカウルの前方の側面には、原動機の側部のウォーターポンプに向けて走行風を導くＶ字型溝状の導風ガイドが形成される。
【先行技術文献】
【特許文献】
【０００３】
【特許文献１】特許第５５６６７０８号公報
【発明の概要】
【発明が解決しようとする課題】
【０００４】
従来のロアーカウルは、前方から後方に向かって次第に車幅方向に広がる様に構成されている。そして、ロアーカウルの前方の側面に原動機への走行風を取り入れるＶ字型溝状の導風ガイドが設けられているため、走行風が導風ガイドに沿って導かれ難く、側面に逃げ易いという問題がある。
【０００５】
本発明は、以上の点に鑑み、走行風が側面に逃げることを抑制して多くの走行風を原動機へ導くことができる鞍乗型車両のロアーカウル構造を提供することを目的とする。
【課題を解決するための手段】
【０００６】
［１］上記目的を達成するため、本発明は、
前輪（７）と、
前記前輪（７）の後方に配置される原動機（８）と、
前記原動機（８）の下部前方に配置されるロアーカウル（４９）と、を備える鞍乗型車両（１）のロアーカウル構造であって、
前記ロアーカウル（４９）は、側面視で下端の前縁から斜め後上方へ延びる前面部（６５）を備え、
前記前面部（６５）の車幅方向の両端縁のうち少なくとも何れか一方の端縁には、該端縁から前上方に向かって延びる堰部（６７）が該端縁に沿って設けられていることを特徴とする。
【０００７】
本発明によれば、前面部（６５）で受けた走行風が横方向に逃げることを堰部（６７）で抑えることができ、原動機（８）へ効率よく走行風を導くことができる。
【０００８】
［２］また、本発明においては、
前記鞍乗型車両（１）は前記原動機（８）の下部近傍を通過して前記鞍乗型車両（１）の後方に向けて延出する排気管（９）を備え、
前記ロアーカウル（４９）の側面は、側面視で下端から上方へ車幅方向外側へ向かい、上方に行くほど連続的または断続的に鉛直面に近づく側部一般面（７３，８３）を備え、
該側部一般面（７３，８３）に開口（７５，８５）が設けられ、該開口（７５，８５）の後上方の縁部（７７，８７）が側部一般面（７３，８３）よりも車幅方向中央に向かって凹んでいることが好ましい。
【０００９】
本発明によれば、車両後方に向けて内部空気を排出する方向にエア抜きの開口（７５，８５）を側部一般面（７３，８３）に設けたので、ロアーカウル（４９）内の排気管の熱を奪った走行風をロアーカウル（４９）の側方へ開口（７５，８５）から流すことができる。また、開口（７５，８５）の後上方の縁部（７７，８７）が側部一般面（７３，８３）よりも車幅方向中央寄りに窪んでいるため、ロアーカウル（４９）内の空気が鞍乗型車両（１）の後方に向かって開口（７５，８５）から抜け易くすることができる。
【００１０】
［３］また、本発明においては、前記ロアーカウル（４９）の前面部（６５）と堰部（６７）とは、一部品からなる前側部（６１）として一体に成形されていることが好ましい。
【００１１】
本発明によれば、前面部（６５）と左右の堰部（６７）を成形する金型を、前面部（６５）に対し上下に型割することができる。これにより、スライド等の無い簡単な金型を用いて前面部（６５）と左右の堰部（６７）を成形することが可能になる。
【００１２】
そして、従来のロアーカウルは、左右一対のカウルを繋ぎ合わせていたため、上方又は前方から従来のロアーカウルを見たときに部品同士の車幅方向中央のつなぎ目が見えるものであった。これに対し、本発明のロアーカウル構造によれば、前面部（６５）と堰部（６７）とが一体に成形されているので、上方又は前方からロアーカウルを見たときに、ロアーカウル（４９）の車幅方向中央のつなぎ目が見えず、ロアーカウル（４９）の外観上の特徴を与えることができる。
【００１３】
［４］また、本発明においては、前記堰部（６７）の前上端から車幅方向外側に向かって折り返すように屈曲して後下方へ延びる合流面（６９）を備えることが好ましい。
【００１４】
本発明によれば、堰部（６７）と合流面（６９）とで断面Ｕ字形状を構成することができ、ロアーカウル（４９）の剛性を向上させることができる。
【００１５】
また、ロアーカウル（４９）を前上方から見たとき、合流面（６９）の端縁が下方に向けて配置されて上方から見え難くなるため、ロアーカウル（４９）の外観上の特徴を与えることができる。
【００１６】
［５］また、本発明においては、前記開口（７５，８５）の上縁（７５ａ，８５ａ）の少なくとも一部が、前記合流面（６９）の端縁（６９ａ）に沿って配置されるが好ましい。
【００１７】
本発明によれば、側部一般面（７３，８３）に設けられた開口（７５，８５）の上縁（７５ａ，８５ａ）の少なくとも一部が堰部（６７）の端縁（６９ａ）に沿って配置されるため一体感が強まり、外観上の特徴を、特に側面視において与えることができる。
【００１８】
また、本発明によれば、堰部（６７）の合流面（６９）の端縁（６９ａ）と、開口（７５，８５）の上縁（７５ａ，８５ａ）を一致させることで、開口（７５，８５）の上縁（７５ａ，８５ａ）が側部一般面（７３，８３）まで車幅方向外側に張り出すこととなる。このように開口（７５，８５）を構成することにより、開口（７５，８５）の開口面積を広く確保することができ、ロアーカウル（４９）内から側面へ熱気を効率よく排出できる。
【００１９】
［６］また、本発明においては、前記ロアーカウル（４９）の少なくとも一方の側部一般面（７３，８３）の後部上方には、車幅方向で一段幅狭く設けられ、運転用のペダル踏み部（９１）の内側を通って車体フレーム（２）のピボット部（１６）の外面まで延びる、運転者爪先案内面（８９）が設けられることが好ましい。
【００２０】
本発明によれば、運転者爪先案内面（８９）によって、ペダル踏み部（９１）に隣接する部品を覆うことができ、運転者の操作性が向上される。
【図面の簡単な説明】
【００２１】
【図１】本発明のロアーカウル構造を適用した鞍乗型車両の実施形態を示す説明図。
【図２】本実施形態のロアーカウルを示す説明図。
【図３】本実施形態のロアーカウルの前側部を示す斜視図。
【図４】本実施形態のロアーカウルの前側部を示す底面図。
【図５】本実施形態のロアーカウルの前側部を鞍乗型車両の左側から示す側面図。
【図６】本実施形態のロアーカウルの左側部及び右側部を示す平面図。
【図７】本実施形態のロアーカウルの左側部及び右側部を鞍乗型車両の左側から示す側面図。
【図８】本実施形態のロアーカウルを前方から示す説明図。
【図９】本実施形態のロアーカウルを切り欠いて前方から示す断面図。
【図１０】本実施形態のロアーカウルを鞍乗型車両の右側から示す側面図。
【発明を実施するための形態】
【００２２】
図を参照して、本発明のロアーカウル構造を適用した鞍乗型車両の実施形態を説明する。なお、鞍乗型車両とは、車体に跨って乗車する車両全般と定義するものであり、自動二輪車や跨って乗車する三輪又は四輪の自動車等を含むものと定義する。
【００２３】
図１に示すように、本実施形態の鞍乗型車両１は、自動二輪車であり、車体フレーム２と、車体フレーム２の前端部に取り付けられたヘッドパイプ３に回動自在に支持された左右一対のフロントフォーク４と、左右のフロントフォーク４の上端部を支持するトップブリッジ５と、トップブリッジ５に取り付けられた操舵用のハンドル６と、フロントフォーク４に回転自在に支持された前輪７と、車体フレーム２に支持された原動機８（エンジン）と、原動機８からの排気ガスを後方に導く排気管９と、排気管９に取り付けられたサイレンサ１０と、車体フレーム２の下部のピボット１１に上下に揺動自在に支持されたリヤスイングアーム１２と、リヤスイングアーム１２の後端部に回転自在に支持された後輪１３とを備える。リヤスイングアーム１２と車体フレーム２との間には図示省略したリヤクッションが設けられている。
【００２４】
車体フレーム２は、ヘッドパイプ３から後方に延びるメインフレーム１４と、ヘッドパイプ３からメインフレーム１４の下方を後方斜め下方に延びるダウンチューブ１５と、メインフレーム１４の後部に連結されてリヤスイングアーム１２を支持するピボット１１を有するピボットプレート１６とを備える。本実施形態においては、ピボットプレート１６が本発明のピボット部に該当する。
【００２５】
メインフレーム１４にはシートレール１７が連結されている。シートレール１７は、ピボットプレート１６に連結されたサポートパイプ１８にも支持される。シートレール１７の前方のメインフレーム１４上には、燃料タンク１９が支持される。燃料タンク１９の後方であって、シートレール１７上には、運転者が跨るシート２０が設けられている。
【００２６】
なお、図１の符号２１はシート２０の前部に跨った運転者の足を載せる運転者用ステップを示し、符号２２はシート２０の後部に跨った同乗者の足を載せる同乗者用ステップを示し、符号２３は車体を左側に傾けた状態で駐車するサイドスタンドを示している。
【００２７】
原動機８は、燃料タンク１９の下方に配置され、ダウンチューブ１５を介してメインフレーム１４に固定されている。原動機８は、下からクランクケース２４、シリンダブロック２５、シリンダヘッド２６、ヘッドカバー２７の順に少し前傾するように上方へ積み重ねるようにして構成される。
【００２８】
ダウンチューブ１５の下端部にはマウント部材２８が設けられている。原動機８のクランクケース２４の前端部はマウント部材２８で支持される。クランクケース２４の後端部はピボットプレート１６で支持される。本実施形態の原動機８は、水冷単気筒エンジンで構成される。
【００２９】
シリンダブロック２５のシリンダ内にはピストンが往復運動可能に挿入されている。ピストンには、コネクティングロッドを介してクランクケース２４内に軸支されたクランク軸に連結される。クランクケース２４の後部には、原動機８の出力軸が軸支される。出力軸とクランク軸との間には、クラッチ機構や変速機構が設けられている。
【００３０】
出力軸と後輪１３とには夫々スプロケット２９，３０が取り付けられている。両スプロケット２９，３０には、ドライブチェーン３１が巻き回され、このドライブチェーン３１によって原動機８と後輪１３との間で動力伝達が可能とされている。
【００３１】
シリンダヘッド２６の前部には排気管９が接続されている。シリンダヘッド２６の後部には、吸気管を介してキャブレター又はスロットルボディ等の燃料供給装置が接続される。燃料供給装置の後方にはエアクリーナボックスが設けられている。
【００３２】
排気管９は、シリンダヘッド２６の前部から斜め右前方に延出したのち下方に屈曲し、ダウンチューブ１５の右側方で下方に向かうに従って次第に後ろ側に位置するように斜め後ろ下方に延出している。この排気管９が原動機８のクランクケース２４の下面近傍に至った後、原動機８の下面右側に沿うように略水平に後方へ延びて後輪１３右側に配置されたサイレンサ１０の前端部に接続される。
【００３３】
鞍乗型車両１の車体には、主に合成樹脂で構成される車体カバーが装着される。車体カバーは、車体上部前側を覆うフロントカウル４３と、車体上部側面を覆う左右一対のサイドカウル４５と、車体上部後側を覆うリヤシートカウル４７と、車体下部前側を覆うロアーカウル４９とを備える。
【００３４】
フロントフォーク４には前輪７の上部を覆うフロントフェンダ５１が設けられ、リヤシートカウル４７には、後輪１３が巻き上げる泥などが運転者に泥がかかることを避けるためのリヤフェンダ５３が設けられている。各カウル４３，４５，４７，４９及び各フェンダ５１，５３は夫々の部位に最適と考えられる合成樹脂材料で成形された樹脂成型品で構成される。
【００３５】
ロアーカウル４９は、前輪７の後方であって車体下部前側において、原動機８の下部前側をその前方から左右両側方に渡って覆うように設けられている。ロアーカウル４９は、原動機８の下部前側から前下がりに傾斜して前方へ延びるように設けられ、側面視では前方に向けて鋭角状に突出する先細りの略三角形状を成し、上面視では前方に向けて先細りの略台形状を成すように延びている。
【００３６】
図２に示すように、ロアーカウル４９は、ロアーカウル４９の上面を主に形成する前側部６１と、ロアーカウル４９の下面を主に形成する左右一対の側部６２，６３とで構成されている。図３に示すように、前側部６１は略Ｖ字状に形成され、前側部６１の中央部には、側面視で下端の前縁から斜め後方へ延びる前面部６５が設けられている。図４は、前側部６１を下方から示している。図５は、前側部６１を鞍乗型車両１の左側から示したものである。
【００３７】
図３に示すように、前面部６５には、排気管９を避けるための逃げ部６５ａが設けられている。前面部６５の車幅方向（左右）の両端縁には、当該端縁から上方に向かって延びる堰部６７が当該端縁に沿って設けられている。この堰部６７の後方部には、前面部６５で撥ね上げられた走行風の一部をロアーカウル４９内に位置している原動機８及び排気管９の一部分に向けて取り入れる切欠部６７ａが設けられている。
【００３８】
また、堰部６７の上端には、堰部６７の上端から側部一般面としての側壁部７３，８３に向かって後下方へ延びる合流面６９を連設している。
【００３９】
図６は、左側の側部６２（以下、左側部６２という）及び右側の側部６３（以下、右側部６３という）を上方から示す図である。図７は、左側部６２及び右側部６３を鞍乗型車両１の左側から示す側面図である。左側部６２は、車幅方向外側に向かって次第に上方へ緩やかに湾曲する左底壁部７１と、この左底壁部７１の車幅方向外側の側縁から上方に行くほど連続的（断続的でもよい）に鉛直面に近づくように湾曲して立ち上がる側部一般面としての左側壁部７３とを備える。
【００４０】
左側壁部７３には、後方に向かって次第に上方へ高くなるように広がって略三角形状に開口する左開口７５が設けられている。また、側部一般面としての左側壁部７３には、左開口７５の後上方の縁部に位置させて車幅方向中央側に向かって凹んだ左凹部７７（縁部）が設けられている。
【００４１】
図６に示すように、右側部６３は、車幅方向外側に向かって次第に上方へ緩やかに湾曲する右底壁部８１と、この右底壁部８１の車幅方向外側の側縁から上方に行くほど連続的（断続的でもよい）に鉛直面に近づくように湾曲して立ち上がる側部一般面の一部としての右側壁部８３とを備える。
【００４２】
右側壁部８３には、後方に向かって次第に上方へ高くなるように広がる略三角形状に開口する右開口８５が設けられている。また、側部一般面としての右側壁部８３には、右開口８５の後上方の縁部に位置させて車幅方向中央側に向かって凹んだ右凹部８７（縁部）が設けられている。
【００４３】
また、図７に示すように、右側壁部８３の後ろ部分は、ピボット部としてのピボットプレート１６の外面まで延びて、運転者のペダル操作などの爪先を案内する運転者爪先案内面８９が設けられている。この運転者爪先案内面８９により、他の部品に邪魔されることなく、運転者は容易にブレーキペダル９１に爪先を載せることができると共に、ブレーキペダル９１の操作性を向上させることができる。本実施形態においては、運転者爪先案内面８９は、ペダル踏み部としてのブレーキペダル９１の内側を通ってピボットプレート１６まで延びている。
【００４４】
図８は、ロアーカウル４９を前方から示す図である。図９は、ロアーカウル４９を前方から断面で示す図である。図１０は、ロアーカウル４９を鞍乗型車両１の右側から示す図である。図１０から運転者爪先案内面８９がブレーキペダル９１の内側を通ってピボットプレート１６まで延びていることが分かる。
【００４５】
本実施形態の鞍乗型車両１のロアーカウル構造によれば、前面部６５で受けた走行風が横方向に逃げることを堰部６７で抑えることができ、原動機８へ効率よく走行風を導くことができる。また、本実施形態のロアーカウル４９は、後方に向かって次第に車幅方向に広がる様に略Ｖ字状に構成されており、また堰部６７及び合流面６９によって後方に向かって次第に上方へ向かって傾斜している。このようにロアーカウル４９が構成されることにより、ロアーカウル４９によって、前輪７から跳ね上がった水や泥などが、運転者の爪先に掛かることを抑制することができる。
【００４６】
また、本実施形態の鞍乗型車両１のロアーカウル構造では、鞍乗型車両１の後方に向けてロアーカウル４９の内部の空気を排出する方向にエア抜きの開口７５，８５を側壁部７３，８３に設けたので、ロアーカウル４９によって原動機８へ導かれた走行風が、排気管９及び排気管９に設けられる触媒の熱を奪った後、ロアーカウル４９の側方の開口７５，８５から排出させることができる。
【００４７】
また、本実施形態の鞍乗型車両１のロアーカウル構造では、開口７５，８５の後上方の縁部に設けられた凹部７７，８７が、側部一般面としての側壁部７３，８３よりも車幅方向中央側に凹むように窪んでいる。このため、ロアーカウル４９内の空気が鞍乗型車両１の後方に向かって開口７５，８５から抜け易くすることができる。
【００４８】
また、本実施形態のロアーカウル構造によれば、前面部６５と左右の堰部６７とからなる前側部６１を成形する金型を、前面部６５に対し上下に型割することができる。これにより、スライド等の無い簡単な金型を用いて前面部６５と左右の堰部６７とからなる前側部６１を成形することが可能になる。
【００４９】
そして、従来のロアーカウルは、左右一対のカウルを繋ぎ合わせていたため、上方又は前方から従来のロアーカウルを見たときに部品同士の車幅方向中央のつなぎ目が見えるものであった。これに対し、本実施形態のロアーカウル構造によれば、前面部（６５）と堰部（６７）とが一体に成形されているので、上方又は前方からロアーカウル４９を見たときにロアーカウル４９の車幅方向中央に位置する左右の側部６２，６３同士をつなぎ合わせた部分であるつなぎ目や、側部６２，６３の上縁が見えず、ロアーカウル４９の外観を向上させることができる。
【００５０】
また、本実施形態のロアーカウル構造によれば、堰部６７の上端に、堰部６７の上端から側部一般面としての側壁部７３，８３に向かって後下方へ延びる合流面６９を連設している。従って、堰部６７と合流面６９とで前側部６１の左右に断面Ｕ字形状を構成することができ、ロアーカウル４９の剛性を向上させることができる。
【００５１】
また、ロアーカウル４９の剛性が向上した分だけ、排気管９を避けるため前面部６５に設けられた逃げ部６５ａの逃げ形状を広く確保することが可能となる。従って、ロアーカウル４９全体を排気管９に従来よりも接近させることができ、ロアーカウル４９の小型化を図ることができる。また、ロアーカウル４９を前上方から見たとき、合流面６９の端縁６９ａが下方に向けて配置されて上方視で隠れるため、ロアーカウル４９に外観上の特徴を与えることができる。
【００５２】
また、本実施形態のロアーカウル構造によれば、側部一般面としての側壁部７３，８３に設けられた開口７５，８５の上縁７５ａ，８５ａが堰部６７の端縁６９ａと一致して一体感が強まり、外観上の特徴を、特に側面視において与えることができる。
【００５３】
また、本実施形態のロアーカウル構造によれば、合流面６９の端縁６９ａの少なくとも一部を、開口７５，８５の上縁７５ａ，８５ａに沿わせることで、開口７５，８５の上縁７５ａ，８５ａが側部一般面としての側壁部７３，８３まで車幅方向外側に張り出すこととなる。このように開口７５，８５を構成することにより、開口７５，８５の開口面積を広く確保することができ、ロアーカウル４９内から側面へ熱気を効率よく排出できる。
【００５４】
なお、本実施形態においては、運転者爪先案内面８９を右側部６３にのみ設けたものを説明したが、本発明の運転者爪先案内面はこれに限らない。例えば、左側部６２にのみ設けてもよいし、両側部６２，６３に設けてもよい。
【００５５】
また、本実施形態においては、ペダル踏み部としてブレーキペダル９１を用いて説明したが、本発明のペダル踏み部はこれに限らない。例えば、ペダル踏み部は、ギヤチェンジペダルであってもよいし、パーキングペダルや、単なる足置き部であってもよい。
【００５６】
また、本実施形態においては、前面部６５の車幅方向の両端縁に堰部６７を設けたものを説明したが、本発明のロアーカウル構造はこれに限らない。例えば、前面部の車幅方向の何れか一方の端縁にのみ堰部を設けても、前面部で受けた走行風が側方に逃げることを抑制することができるという本発明の作用効果を得ることができる。
【符号の説明】
【００５７】
１  鞍乗型車両
２  車体フレーム
３  ヘッドパイプ
４  フロントフォーク
５  トップブリッジ
６  ハンドル
７  前輪
８  原動機
９  排気管
１０  サイレンサ
１１  ピボット
１２  リヤスイングアーム
１３  後輪
１４  メインフレーム
１５  ダウンチューブ
１６  ピボットプレート（ピボット部）
１７  シートレール
１８  サポートパイプ
１９  燃料タンク
２０  シート
２１  運転者用ステップ
２２  同乗者用ステップ
２３  サイドスタンド
２４  クランクケース
２５  シリンダブロック
２６  シリンダヘッド
２７  ヘッドカバー
２８  マウント部材
２９  スプロケット
３０  スプロケット
３１  ドライブチェーン
４３  フロントカウル
４５  サイドカウル
４７  リヤシートカウル
４９  ロアーカウル
５１  フロントフェンダ
５３  リヤフェンダ
６１  前側部
６２  左側部
６３  右側部
６５  前面部
６５ａ  逃げ部
６７  堰部
６７ａ  切欠部
６９  合流面
６９ａ  端縁
７１  左底壁部
７３  左側壁部（側部一般面）
７５  左開口
７５ａ  上縁
７７  左凹部（縁部）
８１  右底壁部
８３  右側壁部（側部一般面）
８５  右開口
８５ａ  上縁
８７  右凹部（縁部）
８９  運転者爪先案内面
９１  ブレーキペダル（ペダル踏み部）
【図１】
2016193649.tif 000003
【図２】
2016193649.tif 000004
【図３】
2016193649.tif 000005
【図４】
2016193649.tif 000006
【図５】
2016193649.tif 000007
【図６】
2016193649.tif 000008
【図７】
2016193649.tif 000009
【図８】
2016193649.tif 000010
【図９】
2016193649.tif 000011
【図１０】
2016193649.tif 000012